(57)【要約】【課題】  当日の服用分を正確に識別することができ、それによって医薬の飲み忘れや飲み過ぎを防止し、それによって医薬の的確な投与を実現し、医師による治療効果を正確に把握できるようにする。【解決手段】  朝、昼、夕等の服用時別の薬配置部を複数箇所有する薬入れについて、各薬配置部１１、１２、１３、１４に、医薬２２を収めた薬袋１５を吊り下げるフック２５を設け、医薬２２を収めた薬袋１５には、曜日の別を表示２１し、朝、昼、夕等の各薬袋１５において曜日の表示２１が一致する状態で使用されるように設ける。フック２５は、基板１０に設けられた開口２６に係合して基板１０に取り付けられている係合片２７を裏側に有し、かつ表側にて軸受２８を有する部品に、折り畳み可能に軸支されている。【選択図】          図２
0003112062.tif 000002
【実用新案登録請求の範囲】
【請求項１】
基板に、朝、昼、夕等の服用時別の薬配置部を複数箇所有する薬入れであって、各薬配置部に医薬を収めた薬袋を吊り下げるフックを設け、医薬を収めた薬袋には、曜日の別を表示し、朝、昼、夕等の各薬袋において曜日の表示が一致する状態で使用されるように設けられている服用管理用薬入れ。
【請求項２】
フックは、基板に開けられた開口に係合して基板に取り付けられる係合片を裏側に有し、かつ表側にて軸受を有する部品に、折り畳み可能に軸支されている請求項１記載の服用管理用薬入れ。
【請求項３】
基板に形成されたスリットに差し込んで取り付けられる取り付け片となる部分と、折り曲げによって基板の板面に畳まれ、曲げ伸ばすことによって基板の板面から突出する部分とを有し、薬袋を下から支える支え部を有している請求項１記載の服用管理用薬入れ。
【請求項４】
基板は上下２部分に分けられ、基板下部に薬配置部を設け、基板上部に掲示部を設けた構成を有する請求項１記載の服用管理用薬入れ。
【請求項５】
基板上部と基板下部はヒンジ部により折り畳み可能に設けられている請求項１記載の服用管理用薬入れ。
【考案の詳細な説明】
【技術分野】
【０００１】
本考案は、基板に、朝、昼、夕等の服用時別の薬配置部を複数箇所有する薬入れに関するものである。
【背景技術】
【０００２】
患者が入院看護を受けている間や、医師が看護師から直接服用管理される場合、医薬は正確に投与されその特性や情報を生かすことができる。これに対して、医師より処方された医薬を患者個人が管理する場合には、飲み忘れや飲み過ぎなど服用の正確を期し難いという問題がある。飲み忘れた場合には薬効が期待されず、飲み過ぎた場合には副作用のリスクを負うことになる。これに対し、登録実用新案第３０３０２６９号は薬剤の服用方法の掲示を間違えることがない薬袋を提案しており、薬剤の名と写真、服用時期及び服用個数を表示するようにしている。しかし同号の考案構成では、薬剤の照合、各薬剤を何時服用すべきか、は明らかに示されているが、或る日の分を正しく服用することができるとは限らない。当日と前日、或いは翌日の各分を区別する手段が用意されていなからである。
【０００３】
【特許文献１】登録実用新案第３０３０２６９号
【考案の開示】
【考案が解決しようとする課題】
【０００４】
本考案の課題は、当日の服用分を正確に識別することが可能であり、それによって飲み忘れや飲み過ぎを防止することである。また本考案の他の課題は、医薬を正しく服用することにより、的確な医薬の投与を実現し、医師による治療効果を正確に把握できるようにすることである。
【課題を解決するための手段】
【０００５】
前記の課題を解決するため、本考案は、基板に、朝、昼、夕等の服用時別の薬配置部を複数箇所有する薬入れについて、各薬配置部に医薬を収めた薬袋を吊り下げるフックを設け、医薬を収めた薬袋には、曜日の別を表示し、朝、昼、夕等の各薬袋において曜日の表示が一致する状態で使用されるように設けるという手段を講じたものである。
【０００６】
医薬の服用者は、１日のどの時期にどのように医薬を服用しなければならないかに気を使うことになるが、最も気になるのは飲み忘れや飲み過ぎであり、これを確認できるように、本考案では服用時期毎の薬配置部を基板に具備している。服用時期は、例えば朝、
昼、夕、就寝前が一般的であるので、通常は４箇所の薬配置部が基板に備わることにな
る。
【０００７】
薬配置部は、薬袋を配置するための部位であり、薬袋を配置できるだけの面積が必要である。そして、薬袋で隠されない薬配置部の隣接箇所に、朝、昼、夕等を示す文字、絵文字、図柄などの表示を設けて、例えば朝の分の薬が置いてある場所である、ということが明瞭に理解できるようになっている。そして食前、食後、食間の別もこの表示に併せて表示すると良い。基板は、相当量例えば２週間分の薬全部を配置するものであるから、厚紙やプラスチックシートなどを使用して十分な強度を有する形状、構造に形成する。このような基板は、日常使用し易い形態で部屋のどこかに掛け、或いは立てるなどして置くものである。
【０００８】
本考案の場合、医薬を収めた薬袋を各薬配置部に吊り下げるために、各薬配置部にフックを設ける。フックは基板の板面の表側に突出するが、吊り下げる薬袋は１袋と限らず、例えば１週間分以上の薬袋を吊り下げられるような長さを有するものであることが望ましい。また、フックとして基板と一体物ではなく、別部品を組み合わせる形態を取る場合、基板に開けられた開口に係合することによって基板に取り付けられる係合片を裏側に有
し、かつ表側にて軸受を有する部品を使用することができる。またフックは、折り畳み可能に軸支された形態を取ることができる。フックだけでは薬袋を支えにくいと考えられる場合には、支え部を設けることもできる。このフックは例えば基板に形成したスリットに差し込んで取り付ける取り付け片となる部分と、折り曲げによって基板の表面に折り畳み可能に設けられ、曲げ伸ばすことによって基板々面から突出する部分とを有し、薬袋を下から支える構成を取るものである。
【０００９】
基板については、１枚で１部分となる構成のほか、上下２部分に分けられ、基板下部に薬配置部を設け、基板上部に掲示部を設けるという構成を取ることができる。基板が上下２部分から成る場合でも、薬配置部についてはこれまでの説明の通りである。掲示部については、額入りの絵や写真など医薬服用には直接関係はないが、服用者の注意や関心を引きやすいもの、或いはカレンダーなどを含む大掲示部と、医薬服用上の関連事項や予備知識、格言などを含む小掲示部をもうけることができる。各掲示部は１箇所とは限らない。このような基板上部と基板下部は、ヒンジ部により折り畳み可能に設けることができる。
【００１０】
既に一部触れているが、本考案の場合、医薬を収めるための薬袋を使用し、その上、薬袋には曜日の別を表示する。従って、日、月、火、水、木、金、土の７日分の医薬を収める７個の薬袋を最小１単位とすると好都合である。各薬袋には日、月、火、水、木、金、土の表示又は予め決められた曜日を表示し、それらをフックに吊り下げて使用する。従って、本考案の薬入れを一見すると、全部の薬袋の曜日の表示が一致しているかどうかを確認することで正常な使用法がされているかどうか、が分かる。そして、午後になっても朝の分が残っていれば飲み忘れであり、夕方になって既に薬が空であれば飲み過ぎであるから、これらを医師、看護師に報告することにより、症状のより的確な把握に役立つことになる。
【考案の効果】
【００１１】
本考案は上記の如く構成され、かつ作用するものであるから、医薬の服用状況を人目で把握することができ、それによって飲み忘れや飲み過ぎを防止し服用者は安心感を得、また医師側は正しい投薬治療を実現するとともに、処方と服用状況の把握により、治療効果の正確な把握が可能になるという効果を奏する。
【考案を実施するための最良の形態】
【００１２】
以下図示の実施形態を参照して本考案をより詳細に説明する。図１は本考案に係る服用管理用薬入れの例１を、図２以下は同じく例２を示しており、例２は例１のものに掲示部を設けたものに相当する。例１、例２ともに薬配置部の構成は共通している。符号１０は４角形の基板であり、板面を４分割して４箇所の薬配置部１１、１２、１３、１４が設けられている。
【００１３】
薬配置部１１、１２、１３、１４は、医薬を収めた薬袋１５を配置する部分であり、各薬局等において使用される標準的な大きさの袋を配置し得る大きさを有し、夫々の薬配置部１１、１２、１３、１４の左側には、「あさ」、「ひる」、「ゆう」、「ねるまえ」の服用時表示１６、１７、１８、１９が設けられている（図３参照）。また図２以下に示す例２の場合、基板１０は上下２部分１０ａ、１０ｂに分けられ、基板下部１０ｂに薬配置部１１、１２、１３、１４を設け、基板上部１０ａに掲示部２０を設けている。服用時表示１６、１７、１８、１９には朝日や月、星等の図柄を並記することができる。また例１、例２では食前、食後、食間の別と錠数の書き込み欄などが設けられている。
【００１４】
薬袋１５は、標準的な大きさを有する耐湿性のプラスチック製のものとして例示されている。薬袋１５は正面の適当な箇所に曜日の表示２１を有し、また内部に医薬２２を収めかつ出し入れ可能なチャック２３を有し、それよりも上部に小孔２４が設けられている。曜日の表示２１は、日、月、火、水、木、金、土の７枚を１組とする薬袋１５に設けられるが、それはシールを貼り付けるタイプでも、予め薬袋１５に印刷するタイプでも、或いはフェルトペンにより書き込むタイプでもどのようなものでも良い。
【００１５】
薬袋１５を各薬配置部１１、１２、１３、１４に配置するために、各薬配置部１１、１２、１３、１４の上部には薬袋１５を吊り下げるフック２５が設けられている。フック２５は、基板１０に設けられた開口２６に係合して基板１０に取り付けられる係合片２７を裏側に有し、かつ表側にて軸受２８を有する部品２９に折り畳み可能に軸支されている。例示の軸受部品２９は、扁平であり、かつまたフック２５は軸受２８に折り畳み可能であるから、使用時まで基板１０の板面に跳ね上げておくことができ（図５参照）、場所を取らない。フック２５の上部には突起３１が中間に設けられており、例えば７枚が１組の薬袋１５の群を２群前後２組に分けて１４枚ずつ吊り下げて置けるようになっている。
【００１６】
また薬配置部１１、１２、１３、１４の下部には、薬袋１５を下から支える支え部３２が設けられている。例示の支え部３２は、基板１０に形成されたスリット３３に差し込んで取り付けられる取り付け片となる部分３４と、折り曲げによって基板１０の板面に畳まれ、曲げ伸ばすことによって基板１０の板面から突出する部分３５とを有している。図４に詳細に示したように、例示の支え部３２はプラスチック材より成る帯状部材を折り曲げたもので、取り付け片部分３４は基板裏面に粘着テープなどの固定手段によって固定されている。３６は折り曲げ線であり、折り曲げにより基板面に折り畳まれる。
【００１７】
例２に付属している掲示部２０は、額入りの絵や写真などの飾り物３７を配置する大掲示部３８と、それよりも小さい小掲示部３９とから成る。飾り物３７は基板１０に開けられたスリット４１に掛け止め片４２を差し込んで固定される。また小掲示部３９には医薬処方上の事項や予備知識、或いは格言、処世訓などを印刷したカード４３を、薬袋用のものと同様のフック４４を用いて取り付ける。さらに例２のものは基板１０を上下２部分に分けるとともに上下２部分の境界にて折り曲げヒンジ部４５を設け、ほぼ二つ折りにすることができるように設けられている。そして、例１、例２のいずれのものも、壁掛け式の使用方法を取る。４６はそのための掛け紐、４７は下部止め片であり、ピン止めのために設けられている。
【００１８】
このように構成されている本考案の服用管理用薬入れは、使用前においては、フック２５を跳ね上げ、支え部３２を折り曲げ、基板１０の板面に折り畳んだ扁平な形態で取り扱うことができる（図５）。従って場所を取らず、重ねて梱包し、輸送し、展示、陳列しておくことができる。使用時においては、フック２５を起こし、必要に応じて支え部３２を引き伸ばして、服用する医薬２２を収めた薬袋１５をフック２５に吊り下げておく。医薬２２を収めた薬袋１５の取り付けの際には、曜日の表示２１の先のものが奥へ行くように順番を良く確かめておくだけで良い。
【００１９】
服用のときは該当する薬袋１５をフック２５から取り外し、内部の医薬２２を服用す
る。服用を終えて中味のなくなった薬袋１５は取り外して保管しておく。この用済み薬袋１５を取り除くことにより、翌日又は次に服用すべき曜日の表示があらわれ、未服用の薬袋１５との比較ができるので、服用時期と照らし合わせることにより正しく服用していること、或いは飲み忘れ、飲み過ぎのあったことを知るものである。
【図面の簡単な説明】
【００２０】
【図１】本考案に係る服用管理用薬入れの例１を示す斜視図。
【図２】同じく例２の斜視図。
【図３】同上のものの正面図。
【図４】図３のものの縦断面図。
【図５】同じく不使用状態の側面図。
【符号の説明】
【００２１】
１０  基板
１１、１２、１３、１４  薬配置部
１５  薬袋
１６、１７、１８、１９  服用時表示
２０  掲示部
２１  曜日の表示
２２  医薬
２５  フック
２６  開口
２７  係合片
２８  軸受
３２  支え部
３３  スリット
３６  折り曲げ片
３８  大掲示部
３９  小掲示部
【図１】
0003112062.tif 000003
【図２】
0003112062.tif 000004
【図３】
0003112062.tif 000005
【図４】
0003112062.tif 000006
【図５】
0003112062.tif 000007